(57)【特許請求の範囲】
【請求項１】
導電性材料からなるケース内には、柱状の誘電体ブロックが前記ケースに電気的に接続した状態で収容され、前記誘電体ブロック内を電流が流れる前記誘電体ブロックの軸芯方向と直交する面に磁場を発生させる励振子を備え、前記誘電体ブロックの上下面には、上端電極と下端電極が形成され、前記上端電極が前記ケースの天板の内面に電気的に接続されると共に、前記下端電極が前記ケースの底板の内面に電気的に接続され、前記励振子は、前記ケースに固定された誘電体からなる略板状の支持片と、入力端子又は出力端子に接続され、前記支持片の表面上に形成された電極帯とからなり、前記電極帯は、前記誘電体ブロックに対峙する前記支持片の第１側面、及びこの第１側面と反対側の第２側面と、前記ケース側に位置する前記支持片の底面、及びこの底面と反対側の上面とに跨って形成され、前記支持片の前記底面に位置する前記電極帯が前記ケースに接続されたことを特徴とする誘電体共振器。
【請求項２】
前記電極帯は、前記誘電体ブロックに対峙する前記支持片の前記第１側面、又はこの第１側面と反対側の前記第２側面の何れかの面において一部を切り欠いて環状に形成されたことを特徴とする請求項１記載の誘電体共振器。
【請求項３】
前記支持片には、前記第１側面と前記底面との間に位置する角部、又は／及び前記第２側面と前記底面との間に位置する角部に半田逃がし用の面取り部を設けたことを特徴とする請求項１、又は２記載の誘電体共振器。
【請求項４】
前記電極帯が部分的に細く形成されていることを特徴とする請求項１から３の何れかに記載の誘電体共振器。
【請求項５】
請求項１ないし請求項４のいずれかに記載の誘電体共振器を備えると共に、前記入力端子と前記出力端子が前記ケース外に導出されたことを特徴とする誘電体フィルタ。
【発明の詳細な説明】
【０００１】
【発明の属する技術分野】
本発明はセルラ基地局用の送信信号・受信信号共用装置（Ｄｕｐｌｅｘｅｒ）などの電子機器に使用して好適な誘電体共振器及び誘電体フィルタに関する。
【０００２】
【従来の技術】
従来の誘電体共振器は、図１５に示すように、金属ケース本体２０１内の底壁上に、セラミック製で円柱状の誘電体ブロック２００を固定するとともに、該金属ケース本体２０１の開口に電磁界エネルギーを閉じ込めるためにケース蓋２０１ａを配設して概略構成されている。
また金属ケース本体２０１の例えば左側壁には入力コネクタ２０２が取りつけられており、右側壁には出力コネクタ２０３が取りつけられている。これら入・出力コネクタ２０２、２０３の中心導体２０２ａ、２０３ａの先端部は左側壁および右側壁をそれぞれ貫通して金属ケース本体２０１内に突出している。
そして、これら中心導体２０２ａ、２０３ａの先端部には、コイル状に形成された結合ループ２０４、２０５の他端は金属ケース本体２０１に半田付け固定され、接地されている。
【０００３】
また、従来の他の例では、図１６に示すように、金属ケース３１１内に突出している入・出力コネクタ３１２、３１３の中心導体に、略直線状のプローブ３１４、３１５の一端を接続し、このプローブ３１４、３１５を金属ケース３１１の内周壁に沿って配設して、他端を誘電体ブロック３００の近傍に配した構成のものも有る。
【０００４】
このような構成の誘電体共振器にあっては、結合ループ２０４、２０５と誘電体ブロック２００とが磁界結合し、またはプローブ３１４、３１５と誘電体ブロック３１０とが磁界結合しており、結合ループ２０４またはプローブ３１４に電気信号が入力されると、この結合ループ２０４またはプローブ３１４で磁界が発生する。その磁気エネルギーにより誘電体ブロック２００または誘電体ブロック３００が励振されて、誘電体ブロック２００、３００に電流が流れ、磁界が発生する。この磁気エネルギーによって出力側の結合ループ２０５またはプローブ３１５で磁界が発生して電流が流れ、出力側のコネクタ２０３、３１３から電気信号が出力される。
【０００５】
【発明が解決しようとする課題】
ところで、上述したような従来の誘電体共振器にあっては、結合ループ２０４、２０５またはプローブ３１４、３１５が構造的に振動に対して弱く、誘電体共振器が振動を受けると、結合ループ２０４、２０５またはプローブ３１４、３１５は誘電体ブロック２００、３００よりも大きく振動してしまうため、誘電体ブロック２００、３００との結合度が変化するという不都合があった。
これに対して、結合ループ２０４、２０５またはプローブ３１４、３１５が振動しないように、例えばパラフィンなどの接着剤を用いて固定する方法も考えられるが、接着剤の使用によって性能劣化が生じることが問題であった。
【０００６】
よって本発明の課題は、振動の影響を受けにくく、良好な性能が安定して得られる誘電体共振器を提供することにある。
【０００７】
【課題を解決するための手段】
前記課題を解決するために本発明の誘電体共振器は、導電性材料からなるケース内には、柱状の誘電体ブロックが前記ケースに電気的に接続した状態で収容され、前記誘電体ブロック内を電流が流れる前記誘電体ブロックの軸芯方向と直交する面に磁場を発生させる励振子を備え、前記誘電体ブロックの上下面には、上端電極と下端電極が形成され、前記上端電極が前記ケースの天板の内面に電気的に接続されると共に、前記下端電極が前記ケースの底板の内面に電気的に接続され、前記励振子は、前記ケースに固定された誘電体からなる略板状の支持片と、入力端子又は出力端子に接続され、前記支持片の表面上に形成された電極帯とからなり、前記電極帯は、前記誘電体ブロックに対峙する前記支持片の第１側面、及びこの第１側面と反対側の第２側面と、前記ケース側に位置する前記支持片の底面、及びこの底面と反対側の上面とに跨って形成され、前記支持片の前記底面に位置する前記電極帯が前記ケースに接続されたものである。
本発明の誘電体共振器によれば励振子がケースに固定されているので、振動の影響を受けにくく、電極帯によって誘電体ブロックの軸芯方向と直交する面に磁場を発生させて安定した励振性能が得られる。
【０００８】
上記励振子をなす支持片を略板状誘電体で構成し、その両側面間に導電性材料からなる電極帯を形成することが好ましく、誘電体の波長短縮により励振子の物理的寸法を小さくすることが可能となる。誘電体としては、テフロン、エポキシ樹脂などのプラスチック、およびセラミックスが望ましく、波長短縮効果の点では誘電率が大きくて、セラミックス製のものがもっとも好ましい。このような支持片をケース内に配することにより、導電ケース内に有効に磁気エネルギーを放射し、これにより誘電体ブロックを効率よく励振することが出来る。
【０００９】
また電極帯は、略板状の誘電体の両側面間部分のうち上記誘電体ブロックに対峙する面と反対側の面において一部を切り欠いて環状に形成され、電極帯の一部が導電性ケースに接続されていることが好ましい。支持片の電極を形成していない部分と電極帯とにより共振回路を形成し、しかもこの電極帯の切り欠き部分によりインピーダンス整合が図られ、強力な磁界を発生させることが出来る。好ましい電極帯の切り欠き部分個所は、導電性ケース底面側に近づく程よい。
【００１０】
また、支持片の両側面間の部分であって前記誘電体ブロックに対峙する面及びこれに連続する部分に半田付け時の半田逃し用の面取り部を設けることにより、励振子を筐体に半田付けする際、はみ出た半田を逃す空間を確保でき励振子を導電性ケースに強固に固定することができる。
特に面取り部分を誘電体ブロックと対峙した部分の面に形成すると、誘電体ブロックに支持片を密接させて固定することが出来、誘電体ブロックに対して強い磁気結合を得ることができる。
【００１１】
あるいは、支持片上に形成された電極帯を部分的に細くすることにより、当該電極帯のインダクタンス成分を変化させる事ができるので、支持片の電極を形成していない部分と電極帯とにより形成される共振回路の共振周波数を調整する事ができ、励振子と誘電体ブロックとの磁界結合を適切なものに調整することが出来る。
【００１２】
また本発明の誘電体共振器を誘電体フィルタの入出力部に使用することにより、振動の影響を受けにくくなり、安定性に優れた誘電体フィルタが得られる。
【００１３】
【発明の実施の形態】
以下、本発明を詳しく説明する。図１ないし図３は本発明の誘電体共振器の第１の実施例の形態を斜視図と断面図で示したものである。なお以下の図において、各構成要素の配置がわかるように、構成要素の輪郭だけを示していることがある。
この誘電体共振器１は、ケース２内に誘電体ブロック３と、２個の励振子１０、１１が収容されている。
【００１４】
ケース２は例えば銅などの導電性材料からなり、箱形に形成されている。
誘電体ブロック３は、ＢａＯ−ＴｉＯ２−Ｎｄ２Ｏ３系などの誘電材料からなるセラミック製のもので、円柱状に形成されている。また誘電体ブロックの上面及び下面には、それぞれ導電性ペーストを塗布して焼きつけるなどして上端電極３ａおよび下端電極３ｂが形成されている。
そして誘電体ブロック３の上端電極３ａはケース２の天板２ａの内面に、また下端電極３ｂはケース２の底板２ｂの内面に、クリーム半田や導電性接着剤を用いてそれぞれ接着固定されており、かつ電気的に接続されている。
【００１５】
支持片４、５は誘電体ブロック３と同一の材料の誘電体セラミック板などからなり、板状に形成されている。そして電極不形成部４ａ、５ａを除いて、その側面上に電極帯６、７が形成してある。また電極帯６、７の下辺部分はケース２の底板２ｂに半田付けや導電性接着剤などにより固定されている。電極帯６、７は導電性ペーストを塗布して焼きつけるなどして形成されている。電極帯６、７の一部は誘電体ブロック３の側面と対向するように配置されている。
電極帯６、７に入力端子８または出力端子９がそれぞれ接続されている。
【００１６】
このような構成の誘電体共振器１にあっては、支持片４、５とその側面上に形成された電極帯６、７と前記電極帯の接地部とで励振子１０、１１が構成されている。すなわち入力端子８から電気信号が入力されると電極帯６に電流が流れ誘電体ブロックの軸芯方向に直交する面において磁界が発生する。そしてこの磁気エネルギーによって出力側の励振子で磁界が発生して電極帯７に電流が流れ、出力端子９から電気信号が出力される。
【００１７】
ここで、電極不形成部４ａ及び５ａではその両端部の電極帯６及び７により静電容量部が形成される。電極帯６及び７そのものはそれぞれ分布定数線路となる。各静電容量部と分布定数線路は並列共振回路を形成していている。共振回路の共振周波数は、電極帯６、７の長さ、幅、及び電極不形成部４ａ、５ａの大きさなどにより変わる。
【００１８】
励振子１０、１１は板状の支持片４、５とその側面上に形成された電極帯６、７からなっており、電極帯６、７が導電性ケース２に接着固定されているので、誘電体共振器は振動の影響を受けにくく、性能が安定して得られる。
さらに励振子１０、１１は、高誘電率材料からなる支持片４、５上に電極帯６、７を形成したものであるので、誘電体の波長短縮により励振子の物理的寸法を小さくすることが可能である。また励振子は共振させて使用するので大きな磁界を発生することができる。
【００１９】
なお、本実施形態の誘電体共振器においては、２つの支持片４、５が誘電体ブロック３を挟んで対象になるように配置されているが、このような配置に限らず、支持片４、５はその電極帯６、７に電流が流れたときに誘電体ブロック３の軸芯方向と直交する面において磁界が発生するように配置すればよい。すなわち誘電体ブロック３の側面に対向する部分の電極帯６、７の長て方向を、誘電体ブロック３の軸芯方向と一致させればよい。ただし、２つの支持片４、５近傍でそれぞれ発生する磁界が相殺することがないように、これらを離間させる必要がある。
【００２０】
図４ないし図６は本発明の誘電体共振器の第２の実施形態を示した斜視図と断面図である。第２の実施の形態の誘電体共振器２１は、第１の実施の形態に比べて支持片４、５を頂部が円弧状の支持片２４、２５に置き換えたものである。図１ないし図３に示した部材と同一部材には同一符号を付し、その説明を省略する。第２の実施形態の誘電体共振器２１はケース２内に誘電体ブロック３と、２個の励振子２４、２５が収容されて概略構成されている。
【００２１】
支持片２４、２５は側面上の電極帯２６、２７の一部がケース２の底板２ｂに、クリーム半田や導電性ペーストを用いてそれぞれ接着固定されており、かつ電気的に接続されている。
【００２２】
支持片２４、２５は誘電体ブロック３と同一の材料の誘電体セラミック板などからなり、矩形で頂部が円弧状の板に形成されている。支持片２４、２５の側面上には電極不形成部２４ａ，２５ａを除いて、電極帯２６、２７が形成してある。電極帯２６、２７の下辺部分はケース２の底板２ｂに半田付けや導電性接着剤などにより固定されている。電極帯２６、２７は導電性ペーストを塗布して焼きつけるなどして形成されている。電極帯２６、２７の一部は誘電体ブロック３の側面と対向するように配置されている。
電極帯２６、２７に入力端子８または出力端子９がそれぞれ接続されている。
【００２３】
本実施の形態においては、支持片２４、２５のケース２の天板２ａに対向する部分を円弧状に形成していあるので、天板２ａとの間の静電容量が低下して、電極帯２６、２７の特性インピーダンスが高い状態にすることもできる。このことにより励振手段である分布定数線路では誘導性のエネルギー、すなわち磁界のエネルギーがより強い共振状態となる。よって、誘電体ブロック３との間に更に強い結合を得ることができる。
【００２４】
第１の実施の形態と同様に本実施の形態においては、励振子が板状の支持片２４、２５とその側面上に形成された電極帯２６、２７からなっており電極帯２６、２７は導電性ケース２に接着固定されているので、振動の影響を受けにくく、性能が安定して得られる。さらに励振子３０、３１は、高誘電率材料からなる支持片２４、２５上に電極を形成したものであるので、誘電体の波長短縮により励振子の物理的寸法を小さくすることが可能である。
【００２５】
図７ないし図９は本発明の誘電体共振器の第３の実施の形態を斜視図と断面図で示したもので、図１０は要部の断面図である。
第３の実施の形態の誘電体共振器４１は第１の実施の形態に比べて、支持片４、５を４つ角部を面取りした支持片４４、４５に置き換えたものである。以下図１ないし図３に示した部材と同一部材には同一符号を付し、その説明を省略する。
【００２６】
支持片４４、４５は誘電体ブロック３と同一の材料の誘電体セラミック板などからなり矩形に形成されている。そして支持片４４、４５の４つの角部には、面取りが施されている。電極不形成部４４ａ，４５ａを除いて、その側面上に電極帯４６、４７が形成してある。電極帯４６、４７の下辺部分はケース２の底板２ｂに半田付けや導電性接着剤などにより固定されている。電極帯４６、４７は導電性ペーストを塗布して焼きつけるなどして形成されている。また電極帯４６、４７の一部は誘電体ブロック３の側面と対向するように配置されている。
電極帯４６、４７には入力端子８または出力端子９がそれぞれ接続されている。
【００２７】
誘電体ブロック３をケース２に固定するには、ハンダや導電性接着剤等の固定手段５２、でケースの天板２ａと誘電体ブロック３の上端電極３ａを接着固定し、固定手段５３で底板２ｂと誘電体ブロックの下端電極３ｂを接着固定する。
また励振子も同様に、ハンダや導電性接着剤等の固定手段５４で、電極帯４６、４７の下端部分の電極とケース２の底板２ｂとを接着固定する。
【００２８】
このような構成の誘電体共振器４１にあっては、支持片４４、４５とその側面上に形成された電極帯４６、４７と電極帯４６、４７の接地部とで励振子５０、５１が構成されている。すなわち入力端子８から電気信号が入力されると電極帯４６に電流が流れ誘電体ブロック３の軸芯方向に直交する面において磁界が発生する。そしてこの磁気エネルギーによって出力側の励振子５１で磁界が発生して電極帯４７に電流が流れ、出力端子９から電気信号が出力される。
【００２９】
ここで、電極不形成部４４ａ、４５ａではその両端部の電極帯４６及び４７により静電容量部が形成される。電極帯２６、２７そのものは分布定数線路となる。各静電容量部と分布定数線路は並列共振回路を形成している。共振回路の共振周波数は、電極帯２６、２７の長さ、幅、及び電極不形成部４４ａ、４５ａの大きさなどにより変わる。
【００３０】
このような構成の誘電体共振器４１にあっては、誘電体ブロック３と励振子５０、５１とで、強い結合度を得ようとする場合、誘電体ブロック３と支持片４４、４５を密着させるようになる。
しかし、固定手段５２、５３、５４が誘電体ブロック３や支持片４４、４５の外周からはみ出してしまうこともしばしばあり、はみ出した固定手段５３、５４により、誘電体ブロック３と励振子５０、５１の密着が阻害されることがしばしばある。
【００３１】
本実施の形態においては、支持片４４、４５の側面に面取り部を設けて、誘電体ブロック３と支持片４４、４５の底部に中空部５５の空間を形成して、固定手段５３、５４が、誘電体ブロック３や支持片４４、５の外周部からはみ出した部分を中空部５５に収容して、支持片４４、４５と誘電体ブロック３を密着させることができる。
【００３２】
本実施の形態でも同様に、励振子５０、５１が板状の支持片４４、４５とその側面上に形成された電極帯４５、４６からなっており、電極帯４５、４６は導電性ケース２に接着固定されているので、振動の影響を受けにくく、性能が安定して得られる。
さらに励振子５０、５１は、高誘電率材料からなる支持片４４、４５上に電極帯４６、４７を形成したものであるので、誘電体の波長短縮により励振子５０、５１の物理的寸法を小さくすることが可能である。また励振子５０、５１は共振させて使用するので大きな磁界を発生することができる。
【００３３】
図１１ないし図１３は本発明の誘電体共振器の第４の実施の形態を示したものである。図１１は斜視図、図１２は断面図、図１３は内部の様子を示した上面図である。第４の実施の形態の誘電体共振器６１は、第１の実施の形態に比べて、電極帯６、７を電極帯の幅が部分的に狭くなっている６６、６７に置き換えたものである。以下図１ないし図３に示した部材と同一部材には同一の符号を付して、その説明を省略する。
本実施の形態の誘電体共振器６１は、ケース２内に誘電体ブロック３と、２個の励振子７０、７１が収容されて概略構成されている。
【００３４】
支持片６４、６５は誘電体ブロック３と同一の材料の誘電体セラミック板などからなり、矩形状に形成されている。電極不形成部６４ａ、６５ａを除いて、その側面上に電極帯６６、６７が形成してある。電極帯６６、６７は導電性ペーストを塗布して焼きつけるなどして形成されている。電極帯６６、６７の下辺部分はケース２の底板２ｂに半田付けや導電性接着剤などにより固定されている。さらに電極帯６６、６７には入力端子８または出力端子９がそれぞれ接続されている。また、電極帯６６、６７はケース２の天板２ａに対向する部分で幅の狭くなっている部分６６ｂ、６７ｂとその他の幅の広い部分６６ａ、６６ｃ、６７ａ、６７ｃで構成されている。
【００３５】
このような構成の誘電体共振器６１にあっては、支持片６４、６５とその側面上に形成された電極帯６６、６７と電極帯６６、６７の接地部とで励振子７０、７１が構成されている。すなわち入力端子８から電気信号が入力されると電極帯６６に電流が流れ誘電体ブロック３の軸芯方向に直交する面において磁界が発生する。そしてこの磁気エネルギーによって出力側の励振子７１で磁界が発生して電極帯６７に電流が流れ、出力端子９から電気信号が出力される。
ここで、電極不形成部６４ａ、６５ａではその両端部の電極帯６６、６７により静電容量部が形成され、電極帯６６、６７そのものは分布定数線路となり、両者により並列共振となる。電極帯６６、６７の長さ、幅、及び電極不形成部６４ａ、６５ａの大きさなどにより共振周波数が変わる。
【００３６】
このような構成の誘電体共振器６１にあっては、誘電体ブック３や支持片６４、６５をケースに収容する際の位置のバラツキ、支持片６４、６５の誘電率のバラツキ等により、励振子と誘電体ブロック３の結合度にバラツキが生じる。
本実施の形態では、電極帯６６、６７を部分的に削除し、幅を狭くした電極帯部６６ｂ、６７ｂを設けることにより、励振子の共振周波数を変化させ、もって結合度の調整手段としている。
すなわち、共振時の特性を測定しながら、電極帯部６６ｂ、６７ｂをヤスリ等で削りながら、結合度を調整することが可能となる。
【００３７】
また励振子７０、７１が板状の支持片６４、６５とその側面上に形成された電極帯６６、６７からなっており、電極帯６６、６７は導電性ケース２に接着固定されているので、振動の影響を受けにくく、性能が安定して得られる。
さらに励振子７０、７１は、高誘電率材料からなる支持片６４、６５上に電極帯６６、６７を形成したものであるので、誘電体の波長短縮により励振子７０、７１の物理的寸法を小さくすることが可能である。また励振子は共振させて使用するので大きな磁界を発生することができる。
【００３８】
図１４は、本発明の誘電体共振器１を誘電体フィルタの入出力部に用いた実施の形態である。すなわち、この誘電体フィルタ１０１は、導電性ケース１０２内に３個の誘電体ブロック１１１、１１２、１１３が、互いに電磁気的に結合するように配置され、両端に支持片とその側面上に形成された電極帯からなる励振子１０３、１０４が設けられている。また励振子１０３、１０４の電極帯には入出力端子１０９または１１０がそれぞれ接続されている。さらに、導電性ケース１０２の上面を塞ぐように板バネ１０５が載置されており、この載置された状態では、板バネ１０５の周縁より誘電体ブロック１１１、１１２、１１３の上面が、板バネ１０５の弾性に対して突出し、誘電体ブロック１１１、１１２、１１３の上面に形成された上端電極と板バネ１０５の下面とが確実に当接するように構成されている。
【００３９】
そして板バネ１０５の上には蓋体１０６が載置され、蓋体１０６と板バネ１０５が導電性ケース１０２にネジ止め固定されている。蓋体１０６には、長手方向の中心線上に３つの比較的大きな径のネジ孔１０７が設けられ、ここに円板状の押えネジ１０８をねじ込むことによって、押えネジ１０８の下面が板バネ１０５を下方に押し下げて、板バネ１０５の下面が誘電体ブロック１１１、１１２、１１３の上面に対して押し付けられるようになっている。
このような構成の誘電体フィルタ１０１は、入出力部に支持片とその側面上に形成された電極帯からなる励振子１０３、１０４が設けられているので、振動に強い誘電体フィルタが得られる。
【００４０】
【発明の効果】
以上説明したように本発明の誘電体共振器は、導電性ケース内に柱状の誘電体ブロックをケースに電気的に接続した状態で収容し、前記誘電体ブロック内を電流が流れる誘電体ブロックの軸心方向と直交する面に磁場を発生させる励振子を設け、励振子を前記ケースに側面が固定された略板状の支持片と、入力端子又は出力端子に接続させて支持片上の側面に、断面Ｃ字状に開口を設けて形成しかつ下辺部がケースに電気的に接続された電極帯とで構成したものである。この構成によれば励振子がケースに固定されているので、振動の影響を受け難く、性能の安定性に優れた誘電体共振器が得られる。
【図面の簡単な説明】
【図１】本発明の誘電体共振器の第１の実施の形態を示した斜視図である。
【図２】図１に示した誘電体共振器の要部斜視図である。
【図３】図１に示した誘電体共振器の１−１線断面図である。
【図４】本発明の誘電体共振器の第２の実施の形態を示した斜視図である。
【図５】図４に示した誘電体共振器の要部斜視図である。
【図６】図４に示した誘電体共振器の５−５線断面図である。
【図７】本発明の誘電体共振器の第３の実施の形態を示した斜視図である。
【図８】図７に示した誘電体共振器の要部斜視図である。
【図９】図７に示した誘電体共振器の９−９線断面図である。
【図１０】図７に示した誘電体共振器の要部断面図である。
【図１１】本発明の誘電体共振器の第４の実施の形態を示した斜視図である。
【図１２】図１１に示した誘電体共振器の１５−１５線断面図である。
【図１３】図１２に示した誘電体共振器の要部上面図である。
【図１４】本発明の誘電体フィルタの実施の形態を示した分解斜視図である。
【図１５】従来の誘電体共振器の一例を示した断面図である。
【図１６】従来の誘電体共振器の他の例を示した平面図である。
【符号の説明】
１、２１、４１、６１…誘電体共振器
２…導電性ケース
３…誘電体ブロック
４、５、２４、２５、４４、４５、６４、６５…支持片
６、７、２６、２７、４６、４７、６６、６７…電極帯
１０、１１、３０、３１、５０、５１、７０、７１…励振子
８…入力端子
９…出力端子
【図１】
0003609283.tif 000002
【図２】
0003609283.tif 000003
【図３】
0003609283.tif 000004
【図４】
0003609283.tif 000005
【図５】
0003609283.tif 000006
【図６】
0003609283.tif 000007
【図７】
0003609283.tif 000008
【図８】
0003609283.tif 000009
【図９】
0003609283.tif 000010
【図１０】
0003609283.tif 000011
【図１１】
0003609283.tif 000012
【図１２】
0003609283.tif 000013
【図１３】
0003609283.tif 000014
【図１４】
0003609283.tif 000015
【図１５】
0003609283.tif 000016
【図１６】
0003609283.tif 000017